(57)【特許請求の範囲】
【請求項１】
表面側デッキボードと、裏面側デッキボードと、表面側デッキボード及び裏面側デッキボードを連結する隅部に形成された隅部の筒状桁と、周辺の中間部に形成された中間部の筒状桁と、中央部に形成された中央部の筒状桁とを有し、各筒状桁の間にフォーク挿入孔が形成された合成樹脂製パレットに於いて、フォーク挿入孔の入口付近で両側に位置する隅部の筒状桁及び中間部の筒状桁の桁壁が湾曲部とされ、且つ隅部の筒状桁及び中間部の筒状桁の内部に表面側デッキボードから裏面側デッキボードに到達する内壁が形成され、該内壁が湾曲部の接線方向に対してほぼ垂直と成るように桁壁の湾曲部に到達しており、隅部の筒状桁の内部に於いては、湾曲部の接線方向に対してほぼ垂直と成るように桁壁の湾曲部に到達する前記内壁とは別に、合成樹脂製パレットのフォーク挿入孔側の面側からこの面に隣接する面側方向に向かって直線状の補強壁が設けられ、中間部の筒状桁の内部に於いては、湾曲部の接線方向に対してほぼ垂直と成るように桁壁の湾曲部に到達する前記内壁とは別に、２つの湾曲部の桁壁から中央部側の仕切壁に連結する補強壁が形成されていることを特徴とする合成樹脂製パレット。
【請求項２】
隅部の筒状桁及び中間部の筒状桁の内部に合成樹脂製パレットの周辺に沿って設けられた内壁によって仕切られた空間が形成されている請求項１記載の合成樹脂製パレット。
【請求項３】
隅部の筒状桁の内部に形成される内壁が周辺に沿って平行に延びた平行壁と、湾曲部に沿って屈曲した屈曲壁と、端壁とによって構成されている請求項１又は請求項２記載の合成樹脂製パレット。
【発明の詳細な説明】
【０００１】
【発明が属する技術分野】
本発明は、種々の物品を運搬する際に使用する合成樹脂製パレット及びその成型方法に関する。
【０００２】
【従来の技術】
物品を運搬する為の物流資材として表面側デッキボードと、裏面側デッキボードと、表面側デッキボード及び裏面側デッキボードを連結する複数の筒状桁とを有し、筒状桁の間にフォーク挿入孔が形成された合成樹脂製パレットが使用されている。
【０００３】
このような合成樹脂製パレットに物品を載せてフォークリフト、ハンドリフター等で運搬する場合には、合成樹脂製パレットのフォーク挿入孔にフォークリフト、ハンドリフター等のフォークを挿入し、フォークによって合成樹脂製パレットを支持して運搬することが行われているが、フォーク挿入孔にフォークを挿入する際にフォーク挿入孔の入口付近でフォークが筒状桁の桁壁に衝突して桁壁を破損し易い欠点があった。
【０００４】
【発明が解決しようとする課題】
本発明は、フォークリフト、ハンドリフター等のフォークをフォーク挿入孔に挿入する際に、フォーク挿入孔の入口付近でフォークが筒状桁の桁壁に衝突して桁壁が破損されることを防止する合成樹脂製パレット及びその成形方法を提供する。
【０００５】
【課題を解決するための手段】
本発明は、表面側デッキボードと、裏面側デッキボードと、表面側デッキボード及び裏面側デッキボードを連結する隅部に形成された隅部の筒状桁と、周辺の中間部に形成された中間部の筒状桁と、中央部に形成された中央部の筒状桁とを有し、各筒状桁の間にフォーク挿入孔が形成された合成樹脂製パレットに於いて、フォーク挿入孔の入口付近で両側に位置する隅部の筒状桁及び中間部の筒状桁の桁壁が湾曲部とされ、且つ隅部の筒状桁及び中間部の筒状桁の内部に表面側デッキボードから裏面側デッキボードに到達する内壁が形成され、該内壁が湾曲部の接線方向に対してほぼ垂直と成るように桁壁の湾曲部及び傾斜部に到達しており、隅部の筒状桁の内部に於いては、湾曲部の接線方向に対してほぼ垂直と成るように桁壁の湾曲部に到達する前記内壁とは別に、合成樹脂製パレットのフォーク挿入孔側の面側からこの面に隣接する面側方向に向かって直線状の補強壁が設けられ、中間部の筒状桁の内部に於いては、湾曲部の接線方向に対してほぼ垂直と成るように桁壁の湾曲部に到達する前記内壁とは別に、２つの湾曲部の桁壁から中央部側の仕切壁に連結する補強壁が形成されていることを特徴とする合成樹脂製パレットに関する。
【０００６】
本発明は、隅部の筒状桁及び中間部の筒状桁の内部に合成樹脂製パレットの周辺に沿って設けられた内壁によって仕切られた空間が形成されている前記合成樹脂製パレットに関する。
【０００７】
本発明は、隅部の筒状桁の内部に形成される内壁が周辺に沿って平行に延びた平行壁と、湾曲部に沿って屈曲した屈曲壁と、端壁とによって構成されている前記合成樹脂製パレットに関する。
【０００８】
本発明は、隅部の筒状桁の内部に於いて、内壁と桁壁とを連結する補強壁が形成されている前記合成樹脂製パレットに関する。
【０００９】
本発明は、隅部の筒状桁の内部に於いて、内壁とは別に両桁壁を連結する補強壁が形成されている前記合成樹脂製パレットに関する。
【００１０】
本発明は、長辺の中間部に形成された中間部の筒状桁の内部に於いて、内壁が該長辺に沿って平行に延びた平行壁と、湾曲部に沿って屈曲した屈曲壁と、端壁とによって構成されている前記合成樹脂製パレットに関する。
【００１１】
本発明は、長辺の中間部に形成された中間部の筒状桁の内部に於いて、内壁と桁壁とを連結する補強壁が形成されている前記合成樹脂製パレットに関する。
【００１２】
本発明は、短辺の中間部に形成された中間部の筒状桁の内部に於いて、内壁が湾曲部に沿って屈曲した屈曲壁と、端壁とによって構成されている前記合成樹脂製パレットに関する。
【００１３】
本発明は、短辺の中間部に形成された中間部の筒状桁の内部に於いて、内壁と桁壁とを連結する補強壁が形成されている前記合成樹脂製パレットに関する。本発明は、中間部の筒状桁の内部に於いて、２つの湾曲部の桁壁から中央桁側の桁壁に連結する補強壁が形成されている前記合成樹脂製パレットに関する。
【００１４】
本発明は、前記合成樹脂製パレットの成形方法に於いて、上下に分割した形状の合成樹脂製パレット上部形成部材と、合成樹脂製パレット下部形成部材とを溶融接着させて一体化することを特徴とする合成樹脂製パレットの成形方法に関する。
本発明は、前記合成樹脂製パレットの成形方法に於いて、金型内に樹脂を供給し、一体に成形することを特徴とする合成樹脂製パレットの成形方法に関する。
【００１５】
【発明の実施の形態】
以下、図面に従って本発明に係わる合成樹脂製パレットの好適な実施の形態について説明する。
【００１６】
図１は本発明に係わる合成樹脂製パレットの実施の一形態を示す正面図であり、図２は図１に示した合成樹脂製パレットの側面図であり、図３は図１に於ける線Ａ−Ａに沿った断面図であり、図４は図１に於ける線Ｂ−Ｂに沿った断面図であり、図５は図３に於ける線Ｃ−Ｃに沿った断面図であり、図６は図３に於ける線Ｄ−Ｄに沿った断面図であり、図７は図３に於ける線Ｅ−Ｅに沿った断面図であり、図８は本発明に係わる二方差し合成樹脂製パレットの横断面図であり、図９は本発明に係わる四方差し合成樹脂製パレットの隅部及び中間部の筒状桁に於いてそのフォーク挿入側が傾斜部となっていることを示す部分横断面図であり、図１０は本発明に係わる二方差し合成樹脂製パレットの隅部及び中間部の筒状桁に於いてそのフォーク挿入側が傾斜部となっていることを示す部分横断面図である。
【００１７】
本発明に係わる合成樹脂製パレットは、図１から３に示すような四方差しパレットの場合、表面側デッキボード１と、裏面側デッキボード２と、表面側デッキボード１及び裏面側デッキボード２を連結する隅部に形成された隅部の筒状桁３と、周辺の中間部に形成された中間部の筒状桁４ａ及び４ｂと、中央部に形成された中央部の筒状桁５とを有し、各筒状桁の間にフォーク挿入孔６が形成され、フォーク挿入孔６の入口付近で両側に位置する隅部の桁３及び中間部の筒状桁４ａ、４ｂの桁壁が徐々に湾曲した湾曲部３１、４ａ１、４ｂ１とされ、隅部の筒状桁３及び中間部の筒状桁４ａ、４ｂの内部に合成樹脂製パレットの周辺に沿って設けられた内壁３２、４ａ２、４ｂ２１が形成され、且つ該内壁の両端に位置する端壁３２１、４ａ２１、４ｂ２が夫夫湾曲部３１、４ａ１、４ｂ１の接線方向に対してほぼ垂直と成るように桁壁の湾曲部３１、４ａ１、４ｂ１に到達するように形成されている。内壁３２、４ａ２、４ｂ２等と筒状桁３、４ａ、４ｂの桁壁とによって仕切られた空間が形成される。また、図９に示すように、フォーク挿入孔６の入口付近で両側に位置する隅部の桁３及び中間部の筒状桁４ａ、４ｂの内部にパレットの周辺に沿って設けられた内壁３２、４ａ２が形成され、且つ該内壁の両端に位置する端壁３２１、４ａ２１、４ｂ２がそれぞれ傾斜部７、７ａ、７ｂの接線方向に対してほぼ垂直と成るように桁壁の傾斜部７、７ａ、７ｂに到達するように形成されていてもよい。図３に示すように、四方差しパレットの場合、隅部の筒状桁３の内部に於いては、湾曲部３１の接線方向に対してほぼ垂直と成るように桁壁の湾曲部に到達する端壁３２１とは別に、合成樹脂製パレットのフォーク挿入孔側の面側からこの面に隣接する面側方向に向かって直線状の補強壁３４が設けられ、中間部の筒状桁４ａ、４ｂの内部に於いては、湾曲部４ａ１、４ｂ１の接線方向に対してほぼ垂直と成るように桁壁の湾曲部に到達する端壁４ａ２１、４ｂ２とは別に、２つの湾曲部の桁壁から中央部側の桁壁４ａ５、４ｂ５に連結する補強壁４ａ４、４ｂ４が形成されている。また、図８に示すように、二方差しパレットの場合、隅部の筒状桁３の内部に於いては、湾曲部３１の接線方向に対してほぼ垂直と成るように桁壁の湾曲部に到達する端壁３２１とは別に、合成樹脂製パレットのフォーク挿入孔側の面側からこの面に隣接する面側方向に向かって直線状の補強壁３４が設けられ、中間部の筒状桁４ａの内部に於いては、湾曲部４ａ１の接線方向に対してほぼ垂直と成るように桁壁の湾曲部に到達する端壁４ａ２１とは別に、２つの湾曲部の桁壁から中央部側の仕切壁４ａ５、４ａ６に連結する補強壁４ａ４が形成されている。すなわち、二方差しパレットの場合の中間桁４ａ内における中央部側の仕切壁４ａ５、４ａ６は、四方差しパレットの場合には、中間桁４ａ、４ｂ内における中央部側の桁壁４ａ５、４ｂ５ということになる。
【００１８】
本発明の合成樹脂製パレットには、図８及び図１０に示すような二方差しパレットも包含することでき、四方差しパレットと同様にフォーク挿入孔６の入口付近で両側に位置する隅部の桁３及び中間部の筒状桁４ａの桁壁が湾曲部３１、４ａ１、または傾斜部７、７ａとなっていてもよい。二方差しパレットの場合、図８から分かるように、隅部の桁３及び中間部の筒状桁４ａがパレットの幅全体に形成され、それぞれ仕切壁３５、４ａ６が隅部に形成され、且つ該仕切壁の間に壁３６が複数形成されているのが好ましい。
【００１９】
隅部の筒状桁３の内部に於いて、内壁３２は、合成樹脂製パレットの周辺に沿って平行に延びた平行壁３２と、湾曲部３１に沿って屈曲した屈曲壁３２３と、端壁３２１とによって構成されるのが好ましく、その際端壁３２１は湾曲部３１の接線方向に対してほぼ垂直と成るように湾曲部３１に到達している。内壁３２と桁壁との間には、それらを連結する複数の補強壁３３、３２２が形成されるのが好ましい。また、該筒状桁内には、湾曲部３１の接線方向に対してほぼ垂直と成るように桁壁の湾曲部に到達する端壁３２１とは別に、合成樹脂製パレットのフォーク挿入孔側の面側からこの面に隣接する面側方向に向かって直線状の補強壁３４が設けられ、筒状桁の強度を向上させている。
【００２０】
四方差しパレットが縦横の長さが相違する場合、長辺の中間部に形成された中間部の筒状桁４ａの内部に於いて、内壁４ａ２は、合成樹脂製パレットの長辺に沿って平行に延び、湾曲部４ａ１又は傾斜部７ａに沿って屈曲した屈曲壁４ａ２２と、端壁４ａ２１とによって構成されるのが好ましく、端壁４ａ２１は湾曲部４ａ１又は傾斜部７ａの接線方向に対してほぼ垂直と成るように湾曲部４ａ１に到達している。内壁４ａ２と桁壁との間には、それらを連結する複数の補強壁４ａ３が形成されているのが好ましい。また、桁壁４ａ１の両側から中央部側の桁壁４ａ５に連結した補強壁４ａ４を形成し、筒状桁４ａの強度を向上させている。
【００２１】
また、短辺の中間部に形成された中間部の筒状桁４ｂの内部に於いて、内壁は、端壁４ｂ２と湾曲部４ｂ１に沿って屈曲した屈曲壁４ｂ２１とによって構成されるのが好ましく、端壁４ｂ２は湾曲部４ｂ１の接線方向に対してほぼ垂直と成るように湾曲部４ｂ１に到達している。内壁と桁壁との間には、それらを連結する補強壁４ｂ３が形成されているのが好ましい。また、桁壁４ｂ１の両側から中央部側の桁壁４ｂ５に連結した補強壁４ｂ４を形成し、筒状桁４ｂの強度を向上させている。
【００２２】
四方差しパレットの表面側デッキボード１の内面側には、合成樹脂製パレットの耐荷重強度を向上させる為に補強リブ１１が形成されているのが好ましい。補強リブ１１は、隅部の筒状桁３と長辺の中間部に形成された中間部の筒状桁４ａとの間及び短辺の中間部に形成された中間部の筒状桁４ｂと中央部に形成された中央部の筒状桁５との間に於いて、他の部分よりも高さが一段高い補強リブ１１ａとされており、これによって対向する短辺側の両端部をラック上で保持する際の耐曲げ強度を大きくすることができる。
【００２３】
表面側デッキボード１には、合成樹脂製パレットを運搬する際の持ち手とすることができるので、複数個の通孔１２が形成されるのが好ましい。
【００２４】
裏面側デッキボード２には、合成樹脂製パレット上に物品を載せてハンドリフターで運搬し得るように４個の大きな開口部２１が形成されている。
【００２５】
また、四方差しパレットの裏面側デッキボード２には、各フォーク挿入孔６の入口側端部及び開口部２１の周辺に水平板状部２２が形成され、該水平板状部２２の間に一段高くなった上段板状部２３が形成されているのが好ましい。上段板状部２３の外面側には補強リブ２４が形成されているのが好ましい。また、各水平板状部２２上には複数の傾斜リブ２５が平行に形成されているのが好ましい。上段板状部２３と水平板状部２２上に傾斜リブ２５を形成することにより、ハンドリフターのフォークをフォーク挿入孔６に挿入する際の操作が容易となる。また、補強リブ２４を形成することにより、合成樹脂製パレットの耐荷重強度を向上させることができる。
【００２６】
パレットが二方差し型の場合も、その表面側デッキボード及び裏面側デッキボードに上記四方差しパレットと同様に各部材が形成されるのが好ましい。
【００２７】
図示した合成樹脂製パレットは、ハンドリフターで運搬し得るように裏面側デッキボード２に４個の大きな開口部２１が形成された片面使用四方差しパレットとされているが、本発明は裏面側デッキボード２に開口部２１が形成されない両面使用四方差しパレットにも応用することができる。また、本発明では、図示するように片面使用若しくは両面使用の二方差しパレットにも適用できる。
【００２８】
図示した合成樹脂製パレットは、特にビールパレットに好適に使用されるため、縦と横の長さが相違するものである。しかし、縦と横の長さが同じ合成樹脂製パレット、即ち図３及び図４に示す中間部の筒状桁４ａが中間部の筒状桁４ｂと同じ形状のものでも差し支えない。
【００２９】
本発明に係わる合成樹脂製パレットは、ポリエチレン、ポリプロピレン等の合成樹脂によって形成することができ、例えば合成樹脂製パレットを上下に分割した形状の合成樹脂製パレット上部形成部材１０と、合成樹脂製パレット下部形成部材２０とを射出成形によって成形した後に、合成樹脂製パレット上部形成部材１０と、合成樹脂製パレット下部形成部材２０とを溶融接着させて一体化することによって製造することができるが、本発明は、必要に応じて合成樹脂製パレットの全体を射出成形によって成形する一体成形合成樹脂製パレットにも使用することができる。
【００３０】
【発明の効果】
本発明に係わる合成樹脂製パレットは、フォーク挿入孔の入口付近で両側に位置する隅部の桁及び中間部の筒状桁の桁壁が湾曲部若しくは傾斜部とされていることにより、フォークリフト、ハンドリフター等のフォークをフォーク挿入孔６に挿入する際にフォークがスムースに挿入でき、且つ隅部の筒状桁及び中間部の筒状桁の内部に合成樹脂製パレットの周辺に沿って設けられた内壁によって仕切られた空間が形成されるとともに内壁の両端に位置する端壁が湾曲部若しくは傾斜部の接線方向に対してほぼ垂直と成るように到達していることにより、仮にフォークが桁壁の湾曲部又は傾斜部に衝突しても良好な耐衝撃強度を有し、筒状桁の桁壁が破損されることを防止することができる。
【００３１】
本発明に係わる合成樹脂製パレットに於いては、隅部の筒状桁及び中間部の筒状桁の内部に補強壁を形成することにより、フォーク挿入孔の入口付近でフォークが筒状桁の桁壁に衝突した際の耐衝撃強度を更に大きくすることができる。
【図面の簡単な説明】
【図１】本発明に係わる合成樹脂製パレットの実施の一形態を示す正面図である。
【図２】図１に示した合成樹脂製パレットの側面図である。
【図３】図１に於ける線Ａ−Ａに沿った断面図である。
【図４】図１に於ける線Ｂ−Ｂに沿った断面図である。
【図５】図３に於ける線Ｃ−Ｃに沿った断面図である。
【図６】図３に於ける線Ｄ−Ｄに沿った断面図である。
【図７】図３に於ける線Ｅ−Ｅに沿った断面図である。
【図８】本発明に係わる二方差し合成樹脂製パレットの横断面図である。
【図９】本発明に係わる四方差し合成樹脂製パレットの隅部及び中間部の筒状桁に於いてそのフォーク挿入側が傾斜部となっていることを示す部分横断面図である。
【図１０】本発明に係わる二方差し合成樹脂製パレットの隅部及び中間部の筒状桁に於いてそのフォーク挿入側が傾斜部となっていることを示す部分横断面図である。
【符号の説明】
１  表面側デッキボード
１１  補強リブ
２  裏面側デッキボード
２４  補強リブ
３  隅部の筒状桁
３１  湾曲部
３２  平行壁
３２１  端壁
３２２  補強壁
３２３  屈曲壁
３３  補強壁
３４  補強壁
４ａ  中間部の筒状桁
４ａ１  湾曲部
４ａ２  平行壁
４ａ２１  端壁
４ａ２２  屈曲壁
４ａ３  補強壁
４ａ４  補強壁
４ａ５  桁壁
４ｂ  中間部の筒状桁
４ｂ１  湾曲部
４ｂ２  端壁
４ｂ２１  屈曲壁
４ｂ３  補強壁
４ｂ４  補強壁
４ｂ５  桁壁
５  中央部の筒状桁
６  フォーク挿入孔
７、７ａ、７ｂ  傾斜部
１０  合成樹脂製パレット上部形成部材
２０  合成樹脂製パレット下部形成部材
【図１】
0004219033.tif 000002
【図２】
0004219033.tif 000003
【図３】
0004219033.tif 000004
【図４】
0004219033.tif 000005
【図５】
0004219033.tif 000006
【図６】
0004219033.tif 000007
【図７】
0004219033.tif 000008
【図８】
0004219033.tif 000009
【図９】
0004219033.tif 000010
【図１０】
0004219033.tif 000011